(57)【要約】      （修正有）【課題】光源として発光ダイオードを用いることで、棚用照明器具の厚みを薄くして棚間の寸法を大きく（高く）とれるようにし、また、アダプターを介して棚用照明器具をブラケットに取り付けなければならない場合に限り、アタッチメントを使用して棚間の寸法を大きくとれるようにする。【解決手段】照明器具本体１の上面に溝２３を長手方向全長にわたって凹設し、背板７の下端にリブ３８を設けた係止片３９を形成する。この溝２３とリブ３８に着脱自在なアタッチメント３０を形成する。照明器具本体１の長手方向にスライド自在としたアタッチメント３０の背面には、既存のアダプターが横方向にスライド自在としたガイドレール部３１を形成する。アタッチメント３０が照明器具本体１に装着され、アタッチメント３０にアダプターが挿入され、このアダプターを介して什器のブラケットに照明器具本体１が設置される。【選択図】図５
2010182520.tif 000002
【特許請求の範囲】
【請求項１】
既存のアダプター（６７）が照明器具の側面に位置しているガイドレールにスライド自在に挿入され、什器（５１）の両側のブラケット（５６）に前記アダプター（６７）を介して前記照明器具をブラケット（５６）に設置する棚用照明器具であって、
前記ガイドレールの高さ寸法より薄い照明器具本体（１）を形成し、
表面側に前記照明器具本体（１）の側面に該照明器具本体（１）の長手方向に沿ってスライド自在に係止する係止部（３５）と、裏面側には前記アダプター（６７）が横方向にスライド自在に挿入され前記ガイドレールと同構造のガイドレール部（３１）とを設けたアタッチメント（３０）が着脱自在に装着される被係止部を、前記照明器具本体（１）の側面に形成していることを特徴とする棚用照明器具。
【請求項２】
前記アタッチメント（３０）の横方向の寸法は、前記照明器具本体（１）の長手方向の長さ寸法より短く形成されており、該アタッチメント（３０）は前記照明器具本体（１）の前記被係止部に対して着脱可能とし、
前記アタッチメント（３０）の係止部（３５）は、上下に該アタッチメント（３０）の横方向の全長にわたって設けた一対の係止片（３７）（３９）とからなり、前記係止片（３７）の先端の下面に突部（３６）が設けられると共に、前記係止片（３９）の先端の上面にリブ（３８）が設けられており、
前記被係止部は、前記照明器具本体（１）の長手方向に全長にわたって該照明器具本体（１）の上面に凹設され、前記アタッチメント（３０）の係止部（３５）の突部（３６）が嵌まる溝（２３）と、前記照明器具本体（１）の長手方向に全長にわたって該照明器具本体（１）の下端より内側に突出して前記係止片（３９）のリブ（３８）が係止される舌片（１４）とで構成されている
ことを特徴とする請求項１に記載の棚用照明器具。
【発明の詳細な説明】
【技術分野】
【０００１】
本発明は、化粧品などの商品を陳列する什器の棚の下面に配設される棚用照明器具に関するものである。
【背景技術】
【０００２】
図９は、化粧品などの商品を陳列する什器５１を示しており、複数段の棚５２から構成されている。各棚５２には、例えば化粧品が陳列され、棚５２に陳列されている商品を見映え良く明るく消費者に見せるために、棚５２の下面には照明器具５３がそれぞれ配設されている。なお、照明器具５３に供給される電源コードなどは図示省略している。
【０００３】
図１０は、什器５１の具体的な一例を示しており、背板５４の両側には棚５２（図９参照）の高さ位置調整用の取付穴５５が一定の間隔でもって上下方向に多数設けられている。この取付穴５５にブラケット５６が左右に挿入され、両ブラケット５６間に照明器具５３が棚５２の下面側となるように設置される。そして、ブラケット５６の上に棚５２が配設される。なお、図１０は棚５２は図示省略している。
【０００４】
ここで、什器５１の構成、特に、両側の取付穴５５の寸法Ｌは、什器５１の種類や会社によって異なり、取付穴５５間の寸法Ｌ、すなわち、ブラケット５６間の寸法が什器５１によって異なっても、ブラケット５６に照明器具５３が設置可能なように照明器具５３側に工夫が凝らされている。
【０００５】
図１１は従来の蛍光管を用いた照明器具５３を示し、（ａ）は照明器具５３の正面図を、（ｂ）は平面図を、（ｃ）は背面図を、（ｄ）は側面図をそれぞれ示している。
外殻を構成している金属製の器具本体６０内には、蛍光灯６１を点灯駆動する駆動回路を実装したプリント基板（図示せず）が納装され、また、プラスティック製のカバー６２が器具本体６０に取り付けられている。
【０００６】
前記器具本体６０の両側には、前記ブラケット５６に取り付けるための金属製の取付金具６３が長手方向に沿ってスライド自在に装着されている。この取付金具６３の先端は略コ字型に形成されていて、この略コ字型の凹部６４にブラケット５６を入れて照明器具５３を該ブラケット５６に設置するようになっている。
【０００７】
すなわち、図１２（ａ）に示すように、ブラケット５６間の寸法が照明器具５３の長手方向の寸法とほぼ同じ場合には、両側の取付金具６３をスライドさせて、ブラケット５６の寸法に合わせ、同図（ｂ）に示すようにブラケット５６に取付金具６３の凹部６４を挿入することで、照明器具５３がブラケット５６に設置される。その後にブラケット５６の上面に棚が取り付けられる。
【０００８】
また、図１１に示すように、器具本体６０の背面には、該器具本体６０と一体に断面を略コ字型としたガイドレール６５が長手方向の全長にわたって形成されている。このガイドレール６５の凹所６６には市販のアダプターがスライド自在に挿入され、該アダプターを介してブラケット５６に照明器具５３を設置するようになっている。
【０００９】
すなわち、図１３に示すように、ブラケット５６間の固定されている寸法が、照明器具５３の長手方向の寸法より短くて、照明器具５３の両側に設けている取付金具６３を用いることが出来ない場合に、上記アダプターを用いるものである。
【００１０】
図１４は照明器具５３のガイドレール６５の凹所６６内に、市販されている既存のアダプター６７を挿入する場合を示しており、このアダプター６７は、ガイドレール６５の凹所６６内に挿入するスライド片６８と、このスライド片６８に直角に一体的に固着されている断面を略コ字型とした取付部６９とで構成されている。
このアダプター６７の取付部６９は、スライド片６８をガイドレール６５の凹所６６内に挿入した場合に、照明器具５３の長手方向と直交して凹所６６より後方へ突出するようになっている。
【００１１】
図１５に示すように、ガイドレール６５の両側から一対のアダプター６７を挿入してブラケット５６間の寸法に合うようにスライドさせて、その位置にアダプター６７をガイドレール６５にネジ止めする。そして、アダプター６７の取付部６９をブラケット５６の上から挿入することで、照明器具５３がアダプター６７を介してブラケット５６に設置される。
【００１２】
このように、蛍光灯６１を用いた従来の照明器具５３においては、器具本体６０の背面に必ずガイドレール６５が一体に形成されており、両側の取付金具６３あるいはガイドレール６５とアダプター６７とのいずれかにより、什器５１のブラケット５６間の寸法がどのような寸法であっても、ブラケット５６に照明器具５３を取り付けることができるようになっている。
【００１３】
ところで、この種の什器５１の棚５２に設置される棚用照明器具は、厚みを出来るだけ薄くすることが要望されている。この理由は、棚５２間の寸法（高さ）が制限されており、商品を展示（陳列）する場合、スペース（高さ）を出来るだけ有効に使いためである。
しかしながら、従来の蛍光灯６１を用いた棚用照明器具（照明器具５３）では、その厚みは蛍光灯６１の外径より薄くすることは出来ず、棚５２のスペースを高くとるのも限界である。
【００１４】
そこで、光源として発光ダイオードを用いた照明器具（棚用照明器具）では、蛍光灯６１を用いた場合と比べて、照明器具の幅及び厚みを狭く薄くすることができる。この場合、ブラケット５６間の寸法により前記アダプター６７を用いる必要性からガイドレール６５も必要になってくる。
しかしながら、発光ダイオードを用いた棚用照明器具の厚みは、ガイドレール６５の縦方向の寸法（厚み）より短く形成することができ、該棚用照明器具にガイドレール６５を一体に形成すると、棚用照明器具自体の厚みを薄くできてもガイドレール６５の厚みが従来と同じであるため、棚のスペース（高さ）は従来と同じとなり、高くとれないという問題がある。
【発明の概要】
【発明が解決しようとする課題】
【００１５】
本発明は上述の問題点に鑑みて提供したものであって、少なくとも以下の目的を持った棚用照明器具を提供するものである。
（１）棚用照明器具の光源として発光ダイオードや従来用いていた蛍光管より細径の蛍光管などを用いることで、棚用照明器具の厚みを薄くして棚間の寸法を大きく（高く）とることができるようにすること。
（２）市販のアダプターを用いなくても棚用照明器具が取り付け可能な場合には、ガイドレールは用いないようにして、棚間の寸法を大きくとれるようにすること。
（３）アダプターを介して棚用照明器具をブラケットに取り付けなければならない場合に限り、ガイドレールの機能を有するアタッチメントを使用し、しかも、アタッチメントの横方向の寸法を短くして、棚間の寸法を大きくとれるようにすること。
（４）アダプターは既存のものが使用できる構造のアタッチメントとし、しかも容易に棚用照明器具に装着できること。
（５）アタッチメントは、棚用照明器具とは別部品とすることにより、棚用照明器具自体は薄く、且つ小型・軽量として、しかもコストを安価にすること。
【課題を解決するための手段】
【００１６】
そこで、本発明の請求項１に記載の棚用照明器具では、既存のアダプター６７が照明器具の側面に位置しているガイドレールにスライド自在に挿入され、什器５１の両側のブラケット５６に前記アダプター６７を介して前記照明器具をブラケット５６に設置する棚用照明器具であって、
前記ガイドレールの高さ寸法より薄い照明器具本体１を形成し、
表面側に前記照明器具本体１の側面に該照明器具本体１の長手方向に沿ってスライド自在に係止する係止部３５と、裏面側には前記アダプター６７が横方向にスライド自在に挿入され前記ガイドレールと同構造のガイドレール部３１とを設けたアタッチメント３０が着脱自在に装着される被係止部を、前記照明器具本体１の側面に形成していることを特徴としている。
【００１７】
請求項２に記載の棚用照明器具では、前記アタッチメント３０の横方向の寸法は、前記照明器具本体１の長手方向の長さ寸法より短く形成されており、該アタッチメント３０は前記照明器具本体１の前記被係止部に対して着脱可能とし、
前記アタッチメント３０の係止部３５は、上下に該アタッチメント３０の横方向の全長にわたって設けた一対の係止片３７、３９とからなり、前記係止片３７の先端の下面に突部３６が設けられると共に、前記係止片３９の先端の上面にリブ３８が設けられており、
前記被係止部は、前記照明器具本体１の長手方向に全長にわたって該照明器具本体１の上面に凹設され、前記アタッチメント３０の係止部３５の突部３６が嵌まる溝２３と、前記照明器具本体１の長手方向に全長にわたって該照明器具本体１の下端より内側に突出して前記係止片３９のリブ３８が係止される舌片１４とで構成されていることを特徴としている。
【発明の効果】
【００１８】
請求項１に記載の棚用照明器具によれば、アダプター６７を取り付けるアタッチメント３０を照明器具本体１の長手方向にスライド自在としているので、ブラケット５６の間隔がどのような場合でも照明器具本体１を取り付けることができる。
【００１９】
請求項２に記載の棚用照明器具によれば、アタッチメント３０の横方向の寸法は、照明器具本体１の横方向の長さと比べて短くしているので、アタッチメント３０を照明器具本体１に取り付けた場合であっても、照明器具本体１から垂下しているアタッチメント３０の部分は該アタッチメント３０の横方向の長さ分だけであり、そのため、アタッチメント３０はほとんど邪魔にならず、棚５２間の高さ寸法を大きくとることができる。
また、アタッチメント３０のガイドレール部３１は、既存（市販）のアダプター６７が使用可能な構造としており、特殊な構造のアタッチメントではないため、棚５２への照明器具本体１の設置費用も安価に抑えることができる。さらに、アタッチメント３０は、照明器具本体１に対して着脱可能としており、照明器具本体１に設けている取付金具３にてブラケット５６に設置できる場合は、アタッチメント３０は不要とし、棚５２に設置されるのは照明器具本体１のみであり、そのため、従来の蛍光管式の照明器具の場合と比べて棚５２間の高さ寸法を大きくとることができる。
また、厚み寸法がガイドレールの高さ寸法より薄い照明器具本体１としているので、照明器具本体１全体として小型、軽量となり、そのため、コストも安価にできる。また、照明器具本体１に対して別部品としたアタッチメント３０も照明器具本体１の長さと比べて非常に短いので、アタッチメント３０を照明器具本体１に取り付けても、照明器具本体１自体の重量も軽量であり、棚５２への重量的な負担を軽減することができる。
【図面の簡単な説明】
【００２０】
【図１】（ａ）（ｂ）は本発明の実施の形態における照明器具本体の平面図及び正面図である。
【図２】（ａ）は従来例の照明器具の側面図であり、（ｂ）は本発明の実施の形態における照明器具本体の側面図である。
【図３】本発明の実施の形態における照明器具本体の断面図である。
【図４】本発明の実施の形態におけるアタッチメントの斜視図である。
【図５】本発明の実施の形態におけるアタッチメントを照明器具本体に装着した場合の断面図である。
【図６】本発明の実施の形態におけるアタッチメント及びアダプターを照明器具本体に装着する場合の説明図である。
【図７】本発明の実施の形態におけるアタッチメントを照明器具本体にスライド自在に装着している状態を示す説明図である。
【図８】本発明の実施の形態におけるブラケットにアタッチメント及びアダプターを介して照明器具本体を設置した状態を示す説明図である。
【図９】従来例の照明器具を設置した状態の什器の正面図である。
【図１０】什器の説明図である。
【図１１】（ａ）〜（ｄ）は従来例の照明器具の正面図、平面図、背面図及び側面図である。
【図１２】（ａ）（ｂ）はそれぞれ従来例の照明器具をブラケットに設置する場合の説明図である。
【図１３】従来例の照明器具を間隔が短いブラケット間に設置する場合の説明図である。
【図１４】従来例の照明器具を間隔が短いブラケット間に設置する場合の説明図である。
【図１５】従来例の照明器具を間隔が短いブラケット間に設置する場合の説明図である。
【図１６】従来例の照明器具を間隔が短いブラケット間に設置する場合の説明図である。
【発明を実施するための形態】
【００２１】
以下、本発明の実施の形態を図面を参照して詳細に説明する。図１は光源に発光ダイオードあるいは従来の蛍光管より細径の蛍光灯などを用いた本発明の照明器具本体１を示し、金属製で押し出し成形により形成されたケース本体２により外殻を構成している。
【００２２】
このケース本体２の内部には多数の発光ダイオードや、発光ダイオードを点灯駆動するための電子回路を実装したプリント基板が配設されている。また、ケース本体２の両側には蛍光管を用いた照明器具５３の取付金具６３と同様の機能を有する取付金具３が長手方向にスライド自在に設けられている。この金属製の取付金具３の先端部は略コ字型に形成されていて、この略コ字型の凹部４を什器５１のブラケット５６に懸架して照明器具本体１をブラケット５６に設置するようになっている。
【００２３】
図２（ａ）は従来の蛍光管を用いた照明器具５３の側面図を示し、図２（ｂ）は本発明の光源に発光ダイオードを用いた照明器具本体１の側面図を示している。ガイドレール６５を除いた器具の大きさは、照明器具本体１の幅寸法、厚み寸法は、蛍光管式の照明器具５３と比較すると、幅寸法では約１／２狭く、厚み寸法も約１／２薄く（約１１ｍｍ）形成されている。
【００２４】
什器５１のブラケット５６の間隔が照明器具本体１の長さより短い位置にあって、該照明器具本体１の取付金具３ではブラケット５６に設置できない場合では、今までと同様にガイドレール６５にアダプター６７を挿入して該アダプター６７によりブラケット５６に照明器具本体１を設置する必要がある。
従来では、蛍光管式の照明器具５３の厚みに対応した高さ寸法のガイドレール６５が一体に形成され、更に該ガイドレール６５の構造に対応させたアダプター６７が市販されている。
【００２５】
そこで、本発明の照明器具本体１においても図２（ｂ）に示すように、ケース本体２の背面に従来と同じガイドレール６５を長手方向の全長にわたって一体に形成した場合、ガイドレール６５の高さ寸法は、照明器具本体１の厚み寸法より約２倍程度高くなる。
これでは、照明器具本体１自体の幅寸法、厚み寸法を狭く、且つ薄くしたにも関わらず、ガイドレール６５により照明器具本体１の厚み寸法が従来の太径の蛍光管式の照明器具５３の場合と同じになってしまうことになる。
【００２６】
そこで、本発明の照明器具本体１では、アダプター６７が必要な場合に限り、ガイドレール６５と同様の機能を持たせたアタッチメントを使用することにし、取付金具３にてブラケット５６に照明器具本体１が設置が可能な場合には、前記アタッチメントは使用せずに、照明器具本体１だけを取付金具３によりブラケット５６に設置するようにしている。
【００２７】
図３は照明器具本体１の断面図を示し、ケース本体２の断面は下面が開口した略コ字型に形成され、厚みのある天板５と、この天板５の前後に一体に形成されている前板６及び背板７とで構成されている。ケース本体２の天板５の前部と後部を除いて肉厚部８が長手方向に全長にわたって一体に形成されており、この肉厚部８には長手方向に全長にわたって偏平なスリット１０が穿孔されている。
このスリット１０に前記取付金具３がスライド自在に設けられている。また、天板５の下面には、発光ダイオード１１等を実装しているプリント基板１２が配設されている。
【００２８】
また、ケース本体２の前板６及び背板７の下端はＬ型に内側に向けて舌片１３、１４が一体に折曲され、この舌片１３、１４の上方には前板６及び背板７の内面から該舌片１３、１４と同形状のリブ１５、１６が一体に対向して形成されている。これら舌片１３、１４、リブ１５、１６は、ケース本体２の長手方向の全長にわたって形成されているものである。
そして、前板６の舌片１３とリブ１５により溝２０が、背板７の舌片１４とリブ１６により溝２１がそれぞれ形成され、両溝２０、２１はケース本体２の長手方向の全長にわたって形成されると共に、両溝２０、２１は対向した構成となっている。この両溝２０、２１に透光性で平板状の樹脂カバー２２が配設されている。
【００２９】
ケース本体２の天板５の後部には、断面を略半円形とした溝２３が長手方向に全長にわたって凹設されている。この溝２３と舌片１４に後述するアタッチメントが端部からスライド自在に挿入され、任意の位置、つまりブラケット５６の位置に対応した位置に配置されるようになっている。
【００３０】
図４は前記アタッチメント３０の斜視図を示し、この金属製のアタッチメント３０の前面側には、今までのガイドレール６５と同じ機能を持たせたガイドレール部３１を形成し、アタッチメント３０の背面側には前記照明器具本体１の前面側に装着する係止部３５が形成されている。なお、このアタッチメント３０は押し出し成形により形成される。
【００３１】
アタッチメント３０のガイドレール部３１は、該アタッチメント３０の上下端より一体に折曲形成したＬ型片３２、３３と、この上下のＬ型片３２、３３にて形成される凹所３４とで構成されている。なお、上下のＬ型片３２、３３はアタッチメント３０の横方向の全長にわたって形成されている。
そして、このアタッチメント３０のガイドレール部３１の凹所３４に図６に示すように、アダプター６７のスライド片６８が端部よりスライド自在に挿入され、アダプター６７がアタッチメント３０に装着される。
【００３２】
また、アタッチメント３０の係止部３５は、上端より横方向の全長にわたって一体に形成されている係止片３７と、下部より横方向の全長にわたって一体に形成され前記係止片３７とほぼ対向した状態で形成されている係止片３９とで構成されている。
そして、上部の係止片３７の先端の下面には照明器具本体１の溝２３内に嵌まるように断面を該溝２３と同様に円形とした突部３６が該係止片３７の横方向の全長にわたって一体に形成されている。また、係止片３９の先端の上面には、照明器具本体１の舌片１４に係止するリブ３８が該係止片３９の横方向の全長にわたって一体に形成されている。
【００３３】
図５はアタッチメント３０を照明器具本体１の後面側に装着した状態を示し、図６に示すように、照明器具本体１の側方からアタッチメント３０の係止片３７の突部３６が照明器具本体１の溝２３に挿入し、またアタッチメント３０の係止片３９のリブ３８を照明器具本体１の舌片１４の内側に入れ、その状態でアタッチメント３０を照明器具本体１の長手方向に沿ってスライドさせる。
図５に示すように、アタッチメント３０の突部３６が溝２３に嵌まり、リブ３８が舌片１４の内側に係止されることで、アタッチメント３０が溝２３及び舌片１４の長手方向に沿ってスライド自在となるが（図７参照）、アタッチメント３０を照明器具本体１から前方へ引いても取り外すことは出来ない。
【００３４】
なお、照明器具本体１の光源として、発光ダイオード１１として説明したが、発光ダイオード１１に限定されるものではない。蛍光管の種類として、従来用いていた蛍光管より細径の蛍光管を用いても良い。かかる場合、照明器具本体１の厚みは、図５に示す照明器具本体１と同じか、あるいは若干厚くなるだけである。したがって、照明器具本体１の光源に発光ダイオード１１、あるいは細径の蛍光管を用いた場合、照明器具本体１の厚みは、図５に示す場合と同様に、アタッチメント３０の厚み（高さ方向）よりかなり薄くすることができるものである。そして、本発明のアタッチメント３０は、従来のガイドレールの高さと同じであり、且つ照明器具本体１の厚みより厚いものである。
【００３５】
次に、アタッチメント３０を照明器具本体１に着脱自在に装着した後に、図６に示すようにアダプター６７のスライド片６８をアタッチメント３０のガイドレール部３１の端部から挿入し、アタッチメント３０にアダプター６７をネジ止めして、アダプター６７をアタッチメント３０に固定する。
また、この状態で、図８に示すように、アダプター６７の取付部６９を什器５１のブラケット５６に上から挿入し、ブラケット５６にアダプター６７をネジ止めして、照明器具本体１をブラケット５６に固定する。そして、棚５２をブラケット５６にネジ止め等にて固定する。
【００３６】
このように、アダプター６７を取り付けるアタッチメント３０を照明器具本体１の長手方向にスライド自在としているので、ブラケット５６の間隔がどのような場合でも照明器具本体１を取り付けることができる。
また、アタッチメント３０の横方向の寸法（例えば、５ｃｍ〜１０ｃｍの範囲）は、図７及び図８に示すように、照明器具本体１の横方向の長さ（例えば、１２０ｃｍ〜１６０ｃｍ）と比べて非常に短くしているので、アタッチメント３０を照明器具本体１に取り付けた場合であっても、照明器具本体１から垂下しているアタッチメント３０の部分は該アタッチメント３０の横方向の長さ分だけであり、そのため、アタッチメント３０はほとんど邪魔にならず、棚５２間の高さ寸法を大きくとることができる。
【００３７】
また、アタッチメント３０のガイドレール部３１は、既存（市販）のアダプター６７が使用可能な構造としており、特殊な構造のアタッチメントではないため、棚５２への照明器具本体１の設置費用も安価に抑えることができる。
【００３８】
さらに、アタッチメント３０は、照明器具本体１に対して着脱可能としており、照明器具本体１に設けている取付金具３にてブラケット５６に設置できる場合は、アタッチメント３０は不要とし、棚５２に設置されるのは照明器具本体１のみであり、そのため、従来の蛍光管式の照明器具の場合と比べて棚５２間の高さ寸法を大きくとることができる。
【００３９】
また、光源に発光ダイオード１１を用いていることで、照明器具本体１の厚みも薄く（約１１ｍｍ）、該照明器具本体１の厚みをアタッチメント３０のガイドレール部３１の厚み（高さ）より薄い照明器具としているので、照明器具本体１全体として小型、軽量となり、そのため、コストも安価にできる。また、照明器具本体１に対して別部品としたアタッチメント３０も照明器具本体１の長さと比べて非常に短いので、アタッチメント３０を照明器具本体１に取り付けても、照明器具本体１自体の重量も軽量であり、棚５２への重量的な負担を軽減することができる。
【００４０】
なお、照明器具本体１の取付金具３を用いてブラケット５６に設置する場合は、従来と同じため、その説明は省略する。
また、アタッチメント３０及びアダプター６７を用いて照明器具本体１をブラケット５６に設置する場合は、上記取付金具３は不要となるため、該取付金具３を着脱自在としておいて、かかる場合は取付金具３を取り外すことで、照明器具本体１をさらに軽量化することも可能である。
【００４１】
また、先の実施形態の説明では、照明器具本体１の横方向の寸法に比べて非常に短い横方向の寸法のアタッチメント３０を用いて、２個のアタッチメント３０にて照明器具本体１を該アタッチメント３０及びアダプター６７にてブラケット５６に設置するようにしていたが、これに限られるものではない。
例えば、アタッチメント３０の断面形状は、図５に示す場合と同一であって、横方向の寸法を照明器具本体１の横方向の寸法とほぼ同じとし、先の実施形態と同様に、長尺物のアタッチメント３０を照明器具本体１に対してスライド自在、且つ着脱自在とするようにしても良い。
【００４２】
なお、アダプター６７としては、図示する形状のものに限らず、一般に市販されている既存の各種の形状のアダプター６７も本発明に適用することができる。
【符号の説明】
【００４３】
１  照明器具本体
３  取付金具
１１  発光ダイオード
１４  舌片
２３  溝
３０  アタッチメント
３１  ガイドレール部
３５  係止部
３６  突部
３７  係止片
３８  リブ
３９  係止片
５１  什器
５２  棚
５６  ブラケット
６７  アダプター
【図１】
2010182520.tif 000003
【図２】
2010182520.tif 000004
【図３】
2010182520.tif 000005
【図４】
2010182520.tif 000006
【図５】
2010182520.tif 000007
【図６】
2010182520.tif 000008
【図７】
2010182520.tif 000009
【図８】
2010182520.tif 000010
【図９】
2010182520.tif 000011
【図１０】
2010182520.tif 000012
【図１１】
2010182520.tif 000013
【図１２】
2010182520.tif 000014
【図１３】
2010182520.tif 000015
【図１４】
2010182520.tif 000016
【図１５】
2010182520.tif 000017
【図１６】
2010182520.tif 000018